(57)【要約】【課題】通信品質データの収集効率が良い通信品質評価システムを提供する。【解決手段】移動通信端末１０において、品質情報生成部２２が、信号送受信部１２によって送受される信号から通信の品質に関する所定の品質情報を生成する。そして、データ生成部２４が、上記の信号が取得された位置情報と品質情報とを対応付けた通信品質データを生成する。更に、データ送信部２６が、この通信品質データを、通信品質評価装置４０に送信する。このように、移動通信端末１０が通信品質データを生成して通信品質評価装置４０に送信するので、通信品質評価装置４０に効率良く通信品質データが収集される。【選択図】  図２
2004187091.tif 000002
【特許請求の範囲】
【請求項１】
位置情報を取得する位置情報取得手段と、
基地局と通信される信号に基づいて当該通信の品質に関する所定の品質情報を生成する品質情報生成手段と、
前記品質情報生成手段によって生成される前記所定の品質情報と、当該所定の品質情報に対応付けられる当該所定の品質情報の生成に用いられた前記信号の通信位置における前記位置情報とを含む通信品質データを生成する通信品質データ生成手段と、
前記通信品質データ生成手段によって生成される前記通信品質データを通信品質評価装置に送信する通信品質データ送信手段と
を備える移動通信端末。
【請求項２】
前記通信品質評価装置によって送信される前記通信品質データの送信開始を要求する旨の開始要求情報を受信する開始要求受信手段と、
前記通信品質評価装置によって送信される前記通信品質データの送信終了を要求する旨の終了要求情報を受信する終了要求受信手段と
を更に備え、
前記通信品質データ送信手段は、前記開始要求受信手段によって前記開始要求情報が受信された場合に、前記通信品質評価装置へ前記通信品質データの送信を開始し、前記終了要求受信手段によって前記終了要求情報が受信された場合に、前記通信品質評価装置への前記通信品質データの送信を終了する
ことを特徴とする請求項１に記載の移動通信端末。
【請求項３】
移動通信端末によって送信される通信品質データを受信する通信品質データ受信手段と、
前記通信品質データ受信手段によって受信される前記通信品質データを格納する通信品質データ格納手段と
を備え、
前記通信品質データ受信手段によって受信される前記通信品質データは、前記移動通信端末によって基地局と通信される信号に基づいて生成される当該通信の品質に関する所定の品質情報と、当該所定の品質情報に対応付けられる当該所定の品質情報の生成に用いられる前記信号の通信位置における位置情報とを含む
ことを特徴とする通信品質評価装置。
【請求項４】
前記移動通信端末に前記通信品質データの送信開始を要求する旨の開始要求情報を送信する開始要求送信手段と、
前記移動通信端末に前記通信品質データの送信終了を要求する旨の終了要求情報を送信する終了要求送信手段と
を更に備えることを特徴とする請求項３に記載の通信品質評価装置。
【請求項５】
前記移動通信端末各々の端末情報を、各々の前記移動通信端末が存在するエリアに関するエリア情報に対応付けて管理する位置情報管理装置に、所望のエリアに存在する前記移動通信端末の前記端末情報の送信を依頼すると共に、当該位置情報管理装置によって送信される前記端末情報を受信する端末情報取得手段を更に備え、
前記開始要求送信手段は、前記端末情報取得手段によって取得される前記端末情報に基づいて特定される前記移動通信端末に前記開始要求情報を送信し、
前記終了要求送信手段は、前記端末情報取得手段によって取得される前記端末情報に基づいて特定される前記移動通信端末に前記終了要求情報を送信する
ことを特徴とする請求項４に記載の通信品質評価装置。
【請求項６】
移動通信端末と通信品質評価装置とを備える通信品質評価システムであって、
前記移動通信端末は、
位置情報を取得する位置情報取得手段と、
基地局と通信される信号に基づいて当該通信の品質に関する所定の品質情報を生成する品質情報生成手段と、
前記品質情報生成手段によって生成される前記所定の品質情報と、当該所定の品質情報に対応付けられる当該所定の品質情報の生成に用いられた前記信号の通信位置における前記位置情報とを含む通信品質データを生成する通信品質データ生成手段と、
前記通信品質データ生成手段によって生成される前記通信品質データを通信品質評価装置に送信する通信品質データ送信手段と
を備え、
前記通信品質評価装置は、
前記移動通信端末によって送信される前記通信品質データを受信する通信品質データ受信手段と、
前記通信品質データ受信手段によって受信される前記通信品質データを格納する通信品質データ格納手段と
を備えることを特徴とする通信品質評価システム。
【請求項７】
前記通信品質評価装置は、
前記移動通信端末に前記通信品質データの送信開始を要求する旨の開始要求情報を送信する開始要求送信手段と、
前記移動通信端末に前記通信品質データの送信終了を要求する旨の終了要求情報を送信する終了要求送信手段と
を更に備え、
前記移動通信端末は、
前記通信品質評価装置によって送信される前記開始要求情報を受信する開始要求受信手段と、
前記通信品質評価装置によって送信される前記終了要求情報を受信する終了要求受信手段と
を更に備え、
前記移動通信端末が備える前記通信品質データ送信手段は、前記開始要求受信手段によって前記開始要求情報が受信された場合に、前記通信品質評価装置へ前記通信品質データの送信を開始し、前記終了要求受信手段によって前記終了要求情報が受信された場合に、前記通信品質評価装置への前記通信品質データの送信を終了する
ことを特徴とする請求項６に記載の通信品質評価システム。
【請求項８】
前記通信品質評価装置は、
前記移動通信端末各々の端末情報を、各々の前記移動通信端末が存在するエリアに関するエリア情報に対応付けて管理する位置情報管理装置に、所望のエリアに存在する前記移動通信端末の前記端末情報の送信を依頼すると共に、当該位置情報管理装置によって送信される前記端末情報を受信する端末情報取得手段を更に備え、
前記通信品質評価装置が備える前記開始要求送信手段は、前記端末情報取得手段によって取得される前記端末情報に基づいて特定される前記移動通信端末に前記開始要求情報を送信し、
前記通信品質評価装置が備える前記終了要求送信手段は、前記端末情報取得手段によって取得される前記端末情報に基づいて特定される前記移動通信端末に前記終了要求情報を送信する
ことを特徴とする請求項７に記載の通信品質評価システム。
【請求項９】
移動通信端末に備えられる位置情報取得手段が、当該移動通信端末の位置情報を取得する位置情報収集ステップと、
前記移動通信端末に備えられる品質情報生成手段が、基地局と通信される信号に基づいて当該通信の品質に関する所定の品質情報を生成する品質情報生成ステップと、
前記移動通信端末に備えられる通信品質データ生成手段が、前記品質情報生成手段によって生成される前記所定の品質情報と、当該所定の品質情報に対応付けられる当該所定の品質情報の生成に用いられた前記信号の通信位置における前記位置情報とを含む通信品質データを生成する通信品質データ生成ステップと、
前記移動通信端末に備えられる通信品質データ送信手段が、前記通信品質データ生成手段によって生成される前記通信品質データを通信品質評価装置に送信する通信品質データ送信ステップと、
前記通信品質評価装置に備えられる通信品質データ受信手段が、前記移動通信端末によって送信される前記通信品質データを受信する通信品質データ受信ステップと、
前記通信品質評価装置に備えられる通信品質データ格納手段が、前記通信品質データ受信手段によって受信される前記通信品質データを格納する通信品質データ格納ステップと
を備える通信品質データ収集方法。
【請求項１０】
前記通信品質評価装置に備えられる開始要求送信手段が、前記移動通信端末に前記通信品質データの送信開始を要求する旨の開始要求情報を送信する開始要求送信ステップと、
前記移動通信端末に備えられる開始要求受信手段が、前記通信品質評価装置によって送信される前記開始要求情報を受信する開始要求受信ステップと、
前記通信品質評価装置に備えられる終了要求送信手段が、前記移動通信端末に前記通信品質データの送信終了を要求する旨の終了要求情報を送信する終了要求送信ステップと、
前記移動通信端末に備えられる終了要求受信手段が、前記通信品質評価装置によって送信される前記終了要求情報を受信する終了要求受信ステップと
を更に備え、
前記通信品質データ送信ステップにおいて、前記移動通信端末が備える前記通信品質データ送信手段は、前記開始要求受信手段によって前記開始要求情報が受信された場合に、前記通信品質評価装置へ前記通信品質データの送信を開始し、前記終了要求受信手段によって前記終了要求情報が受信された場合に、前記通信品質評価装置への前記通信品質データの送信を終了する
ことを特徴とする請求項９に記載の通信品質データ収集方法。
【請求項１１】
前記通信品質評価装置に備えられる端末情報取得手段が、前記移動通信端末各々の端末情報を、各々の前記移動通信端末が存在するエリアに関するエリア情報に対応付けて管理する位置情報管理装置に、所望のエリアに存在する前記移動通信端末の前記端末情報の送信を依頼すると共に、当該位置情報管理装置によって送信される前記端末情報を受信する端末情報取得ステップを更に備え、
前記開始要求送信ステップにおいて、前記通信品質評価装置が備える前記開始要求送信手段は、前記端末情報取得手段によって取得される前記端末情報に基づいて特定される前記移動通信端末に前記開始要求情報を送信し、
前記終了要求受信ステップにおいて、前記通信品質評価装置が備える前記終了要求送信手段は、前記端末情報取得手段によって取得される前記端末情報に基づいて特定される前記移動通信端末に前記終了要求情報を送信する
ことを特徴とする請求項１０に記載の通信品質データ収集方法。
【請求項１２】
移動通信端末を、
位置情報を取得する位置情報取得手段と、
基地局と通信される信号に基づいて当該通信の品質に関する所定の品質情報を生成する品質情報生成手段と、
前記品質情報生成手段によって生成される前記所定の品質情報と、当該所定の品質情報に対応付けられる当該所定の品質情報の生成に用いられた前記信号の通信位置における前記位置情報とを含む通信品質データを生成する通信品質データ生成手段と、
前記通信品質データ生成手段によって生成される前記通信品質データを通信品質評価装置に送信する通信品質データ送信手段と、
として機能させるプログラム。
【請求項１３】
移動通信端末を更に、
前記通信品質評価装置によって送信される前記通信品質データの送信開始を要求する旨の開始要求情報を受信する開始要求受信手段と、
前記通信品質評価装置によって送信される前記通信品質データの送信終了を要求する旨の終了要求情報を受信する終了要求受信手段と、
として機能させ、
前記通信品質データ送信手段は、前記開始要求受信手段によって前記開始要求情報が受信された場合に、前記通信品質評価装置へ前記通信品質データの送信を開始し、前記終了要求受信手段によって前記終了要求情報が受信された場合に、前記通信品質評価装置への前記通信品質データの送信を終了する
ことを特徴とする請求項１２に記載のプログラム。
【発明の詳細な説明】
【０００１】
【発明の属する技術分野】
本発明は、移動通信の通信品質を評価するための通信品質データを収集する通信品質評価システムに関するものである。
【０００２】
【従来の技術】
従来、このような分野の技術として、移動通信網の基地局と通信を行うための通信装置と、ＧＰＳ（Ｇｌｏｂａｌ  Ｐｏｓｉｔｉｏｎｉｎｇ  Ｓｙｓｔｅｍ）を利用して位置情報を生成する位置情報取得部とを備える通信品質評価装置が知られている（例えば、特許文献１）。この通信品質評価装置では、通信装置によって送受される信号に基づいて、その通信品質に関する所定の品質情報を生成し、この品質情報を、位置情報取得部によって生成される上記の信号が取得された位置の位置情報と対応付けた通信品質データを生成している。このような従来の通信品質評価装置は、複数の基地局が各々形成する通信エリア内において人手によって移動されることによって、それぞれの通信エリア全域の通信品質データを収集することができる。
【０００３】
【特許文献１】
特開２００１−１１９３３４号公報
【０００４】
【発明が解決しようとする課題】
しかしながら、従来の通信品質評価装置は、上述したように、人手によってこれを移動させる必要がある。したがって、従来の通信品質評価装置によって通信品質データを収集する場合、膨大な人件費が費やされる。また、従来の通信品質評価装置は、人手によってこれを移動させる必要があるので、通信品質データを収集する効率が悪い。
【０００５】
本発明は上記問題点を解決するためになされたもので、通信品質評価装置に通信品質データを収集する効率の向上を図ることを課題としている。
【０００６】
【課題を解決するための手段】
上記課題を解決するため、本発明の移動通信端末は、位置情報を取得する位置情報取得手段と、基地局と通信される信号に基づいて当該通信の品質に関する所定の品質情報を生成する品質情報生成手段と、上記品質情報生成手段によって生成される上記所定の品質情報と、当該所定の品質情報に対応付けられる当該所定の品質情報の生成に用いられた上記信号の通信位置における上記位置情報とを含む通信品質データを生成する通信品質データ生成手段と、上記通信品質データ生成手段によって生成される上記通信品質データを通信品質評価装置に送信する通信品質データ送信手段とを備える。
【０００７】
また、上記課題を解決するため、本発明の通信品質評価装置は、移動通信端末によって送信される通信品質データを受信する通信品質データ受信手段と、上記通信品質データ受信手段によって受信される上記通信品質データを格納する通信品質データ格納手段とを備え、上記通信品質データ受信手段によって受信される上記通信品質データは、上記移動通信端末によって基地局と通信される信号に基づいて生成される当該通信の品質に関する所定の品質情報と、当該所定の品質情報に対応付けられる当該所定の品質情報の生成に用いられる上記信号の通信位置における位置情報とを含むことを特徴としている。
【０００８】
また、上記課題を解決するため、本発明の通信品質評価システムは、移動通信端末と通信品質評価装置とを備える通信品質評価システムであって、上記移動通信端末は、位置情報を取得する位置情報取得手段と、基地局と通信される信号に基づいて当該通信の品質に関する所定の品質情報を生成する品質情報生成手段と、上記品質情報生成手段によって生成される上記所定の品質情報と、当該所定の品質情報に対応付けられる当該所定の品質情報の生成に用いられた上記信号の通信位置における上記位置情報とを含む通信品質データを生成する通信品質データ生成手段と、上記通信品質データ生成手段によって生成される上記通信品質データを通信品質評価装置に送信する通信品質データ送信手段とを備え、上記通信品質評価装置は、上記移動通信端末によって送信される上記通信品質データを受信する通信品質データ受信手段と、上記通信品質データ受信手段によって受信される上記通信品質データを格納する通信品質データ格納手段とを備えることを特徴としている。
【０００９】
また、上記課題を解決するため、本発明の通信品質データ収集方法は、移動通信端末に備えられる位置情報取得手段が、当該移動通信端末の位置情報を取得する位置情報収集ステップと、上記移動通信端末に備えられる品質情報生成手段が、基地局と通信される信号に基づいて当該通信の品質に関する所定の品質情報を生成する品質情報生成ステップと、上記移動通信端末に備えられる通信品質データ生成手段が、上記品質情報生成手段によって生成される上記所定の品質情報と、当該所定の品質情報に対応付けられる当該所定の品質情報の生成に用いられた上記信号の通信位置における上記位置情報とを含む通信品質データを生成する通信品質データ生成ステップと、上記移動通信端末に備えられる通信品質データ送信手段が、上記通信品質データ生成手段によって生成される上記通信品質データを通信品質評価装置に送信する通信品質データ送信ステップと、上記通信品質評価装置に備えられる通信品質データ受信手段が、上記移動通信端末によって送信される上記通信品質データを受信する通信品質データ受信ステップと、上記通信品質評価装置に備えられる通信品質データ格納手段が、上記通信品質データ受信手段によって受信される上記通信品質データを格納する通信品質データ格納ステップとを備える。
【００１０】
また、上記課題を解決するため、本発明のプログラムは、移動通信端末を、位置情報を取得する位置情報取得手段と、基地局と通信される信号に基づいて当該通信の品質に関する所定の品質情報を生成する品質情報生成手段と、上記品質情報生成手段によって生成される上記所定の品質情報と、当該所定の品質情報に対応付けられる当該所定の品質情報の生成に用いられた上記信号の通信位置における上記位置情報とを含む通信品質データを生成する通信品質データ生成手段と、上記通信品質データ生成手段によって生成される上記通信品質データを通信品質評価装置に送信する通信品質データ送信手段として機能させることを特徴としている。
【００１１】
これらの発明によれば、移動通信端末は、基地局と通信される信号に基づいて、その通信の品質に関する所定の品質情報を生成する。そして、移動通信端末は、この所定の品質情報の生成に用いた上記の信号を通信した位置を表す位置情報を取得し、これら所定の品質情報と位置情報とを含む通信品質データを生成する。更に、移動通信端末は、上記の通信品質データを通信品質評価装置に送信する。通信品質評価装置は、移動通信端末から送信される上記の通信品質データを収集すると共に格納する。このように、本発明の通信品質評価装置は、それ自体を人手によって移動させることなく、移動通信端末によって生成される所定の品質情報を、その生成に用いられた信号の通信位置を表す位置情報と共に収集できる。そして、移動通信端末は、各々のユーザによって複数の基地局それぞれが形成するエリアにおいてその位置が分散されるので、本発明の通信品質評価装置は、様々な位置における通信品質を表す所定の品質情報を含む通信品質データを効率良く収集できる。
【００１２】
また、本発明の移動通信端末においては、上記通信品質評価装置によって送信される上記通信品質データの送信開始を要求する旨の開始要求情報を受信する開始要求受信手段と、上記通信品質評価装置によって送信される上記通信品質データの送信終了を要求する旨の終了要求情報を受信する終了要求受信手段とを更に備え、上記通信品質データ送信手段は、上記開始要求受信手段によって上記開始要求情報が受信された場合に、上記通信品質評価装置へ上記通信品質データの送信を開始し、上記終了要求受信手段によって上記終了要求情報が受信された場合に、上記通信品質評価装置への上記通信品質データの送信を終了することを特徴とすることが好ましい。
【００１３】
また、本発明の通信品質評価装置においては、上記移動通信端末に上記通信品質データの送信開始を要求する旨の開始要求情報を送信する開始要求送信手段と、上記移動通信端末に上記通信品質データの送信終了を要求する旨の終了要求情報を送信する終了要求送信手段とを更に備えることを特徴とすることが好ましい。
【００１４】
また、本発明の通信品質評価システムにおいては、上記通信品質評価装置は、上記移動通信端末に上記通信品質データの送信開始を要求する旨の開始要求情報を送信する開始要求送信手段と、上記移動通信端末に上記通信品質データの送信終了を要求する旨の終了要求情報を送信する終了要求送信手段とを更に備え、上記移動通信端末は、上記通信品質評価装置によって送信される上記開始要求情報を受信する開始要求受信手段と、上記通信品質評価装置によって送信される上記終了要求情報を受信する終了要求受信手段とを更に備え、上記移動通信端末が備える上記通信品質データ送信手段は、上記開始要求受信手段によって上記開始要求情報が受信された場合に、上記通信品質評価装置へ上記通信品質データの送信を開始し、上記終了要求受信手段によって上記終了要求情報が受信された場合に、上記通信品質評価装置への上記通信品質データの送信を終了することを特徴とすることが好ましい。
【００１５】
また、本発明の通信品質データ収集方法においては、上記通信品質評価装置に備えられる開始要求送信手段が、上記移動通信端末に上記通信品質データの送信開始を要求する旨の開始要求情報を送信する開始要求送信ステップと、上記移動通信端末に備えられる開始要求受信手段が、上記通信品質評価装置によって送信される上記開始要求情報を受信する開始要求受信ステップと、上記通信品質評価装置に備えられる終了要求送信手段が、上記移動通信端末に上記通信品質データの送信終了を要求する旨の終了要求情報を送信する終了要求送信ステップと、上記移動通信端末に備えられる終了要求受信手段が、上記通信品質評価装置によって送信される上記終了要求情報を受信する終了要求受信ステップとを更に備え、上記通信品質データ送信ステップにおいて、上記移動通信端末が備える上記通信品質データ送信手段は、上記開始要求受信手段によって上記開始要求情報が受信された場合に、上記通信品質評価装置へ上記通信品質データの送信を開始し、上記終了要求受信手段によって上記終了要求情報が受信された場合に、上記通信品質評価装置への上記通信品質データの送信を終了することを特徴とすることが好ましい。
【００１６】
また、本発明のプログラムにおいては、移動通信端末を更に、上記通信品質評価装置によって送信される上記通信品質データの送信開始を要求する旨の開始要求情報を受信する開始要求受信手段と、上記通信品質評価装置によって送信される上記通信品質データの送信終了を要求する旨の終了要求情報を受信する終了要求受信手段として機能させ、上記通信品質データ送信手段は、上記開始要求受信手段によって上記開始要求情報が受信された場合に、上記通信品質評価装置へ上記通信品質データの送信を開始し、上記終了要求受信手段によって上記終了要求情報が受信された場合に、上記通信品質評価装置への上記通信品質データの送信を終了することを特徴とすることが好ましい。
【００１７】
これらの発明によれば、移動通信端末は、通信品質評価装置から送信される開始要求情報に応じて、上記の通信品質データを通信品質評価装置に送信する。そして、移動通信端末は、通信品質評価装置から送信される終了要求情報に応じて、通信品質評価装置への通信品質データの送信を終了する。したがって、通信品質評価装置は、開始要求情報の送信時刻と、終了要求情報の送信時刻とを制御することによって、所望の時間帯の通信品質データを収集することができる。
【００１８】
また、本発明の通信品質評価装置においては、上記移動通信端末各々の端末情報を、各々の上記移動通信端末が存在するエリアに関するエリア情報に対応付けて管理する位置情報管理装置に、所望のエリアに存在する上記移動通信端末の上記端末情報の送信を依頼すると共に、当該位置情報管理装置によって送信される上記端末情報を受信する端末情報取得手段を更に備え、上記開始要求送信手段は、上記端末情報取得手段によって取得される上記端末情報に基づいて特定される上記移動通信端末に上記開始要求情報を送信し、上記終了要求送信手段は、上記端末情報取得手段によって取得される上記端末情報に基づいて特定される上記移動通信端末に上記終了要求情報を送信することを特徴とすることが好ましい。
【００１９】
また、本発明の通信品質評価システムにおいては、上記通信品質評価装置は、上記移動通信端末各々の端末情報を、各々の上記移動通信端末が存在するエリアに関するエリア情報に対応付けて管理する位置情報管理装置に、所望のエリアに存在する上記移動通信端末の上記端末情報の送信を依頼すると共に、当該位置情報管理装置によって送信される上記端末情報を受信する端末情報取得手段を更に備え、上記通信品質評価装置が備える上記開始要求送信手段は、上記端末情報取得手段によって取得される上記端末情報に基づいて特定される上記移動通信端末に上記開始要求情報を送信し、上記通信品質評価装置が備える上記終了要求送信手段は、上記端末情報取得手段によって取得される上記端末情報に基づいて特定される上記移動通信端末に上記終了要求情報を送信することを特徴とすることが好ましい。
【００２０】
また、本発明の通信品質データ収集方法においては、上記通信品質評価装置に備えられる端末情報取得手段が、上記移動通信端末各々の端末情報を、各々の上記移動通信端末が存在するエリアに関するエリア情報に対応付けて管理する位置情報管理装置に、所望のエリアに存在する上記移動通信端末の上記端末情報の送信を依頼すると共に、当該位置情報管理装置によって送信される上記端末情報を受信する端末情報取得ステップを更に備え、上記開始要求送信ステップにおいて、上記通信品質評価装置が備える上記開始要求送信手段は、上記端末情報取得手段によって取得される上記端末情報に基づいて特定される上記移動通信端末に上記開始要求情報を送信し、上記終了要求受信ステップにおいて、上記通信品質評価装置が備える上記終了要求送信手段は、上記端末情報取得手段によって取得される上記端末情報に基づいて特定される上記移動通信端末に上記終了要求情報を送信することを特徴とすることが好ましい。
【００２１】
これらの発明によれば、通信品質評価装置が、所望のエリアに存在する移動通信端末の端末情報を位置情報管理装置から取得し、端末情報によって特定される移動通信端末に、上記の開始要求情報や、終了要求情報を送信することによって通信品質データを収集できるので、通信品質評価装置は、所望のエリアにおける通信品質データを収集できる。
【００２２】
【発明の実施の形態】
本発明の第１の実施形態にかかる通信品質評価システム１について添付の図面を参照して説明する。なお、以下の実施形態に関する説明においては、説明の理解を容易にするため、各図面において同一の構成要素に対しては可能な限り同一の符号を附す。図１は実施形態にかかる通信品質評価システムを含む移動通信網２を示す図である。図１に示すように、移動通信網２は、複数の移動通信端末１０と、通信品質評価装置４０と、位置情報管理装置６０と、複数の基地局７０と、複数の交換局７４と、ゲートウェイ７６とを備えて構成される。この移動通信網２では、複数の移動通信端末１０と、通信品質評価装置４０と、位置情報管理装置６０とによって、通信品質評価システム１が構成されている。なお、通信品質評価装置４０の配置は、移動通信端末１０と位置情報管理装置６０との通信を行なえれば、図１に示された配置に限られない。
【００２３】
基地局７０はそれぞれ、通信エリア７２を形成し、そのエリア内に存在する移動通信端末１０と信号の送受を行う。なお、基地局７０が形成する通信エリアは、基地局７０が形成する一つのセルであってもよく、また、基地局７０が形成する複数のセクタであっても良い。
【００２４】
交換局７４はそれぞれ、複数の基地局７０を収容し、収容する基地局７０からの信号を、他の交換局７４や、ゲートウェイ７６に中継する。ゲートウェイ７６は、移動通信網を固定電話網に接続したり、他の事業者のネットワークに相互接続する。
【００２５】
次に、通信品質評価システム１について、その構成を図２を参照して説明する。図２は、通信品質評価システム１の構成を示すブロック図である。図２に示すように、複数の移動通信端末１０と（図２では、一つのみ図示）、通信品質評価装置４０と、位置情報管理装置６０とを備えて構成される。
【００２６】
移動通信端末１０は、基地局７０と信号を送受することによって通信を行なう携帯電話機である。移動通信端末１０は、ＴＤＭＡ（Ｔｉｍｅ  Ｄｉｖｉｓｉｏｎ  Ｍｕｌｔｉｐｌｅ  Ａｃｃｅｓｓ）方式の一つであるＰＤＣ（Ｐｅｒｓｏｎａｌ  Ｄｉｇｉｔａｌ  Ｃｅｌｌｕｌａｒ）方式、または、ＣＤＭＡ（ＣｏｄｅＤｉｖｉｓｉｏｎ  Ｍｕｌｔｉｐｌｅ  Ａｃｃｅｓｓ）方式といった通信方式を採用することができる。更に、移動通信端末１０は、ＩＭＴ−２０００といったいわゆる第三世代の移動体通信方式を採用しても良い。移動通信端末１０は、物理的には、ＣＰＵ（中央処理装置）と、メモリといった記憶装置と、表示部と、プッシュボタンといった入力部と、通信装置等を備えて構成される。また、図２に示すように、移動通信端末１０は、機能的には、信号送受信部１２と、登録要求部１４と、位置情報取得部（位置情報取得手段）１６と、開始要求受信部（開始要求受信手段）１８と、終了要求受信部（終了要求受信手段）２０と、品質情報生成部（品質情報生成手段）２２と、データ生成部（通信品質データ生成手段）２４と、データ送信部（通信品質データ送信手段）２６とを備えて構成される。
【００２７】
信号送受信部１２は、基地局７０と信号の送受を行う。登録要求部１４は、通信品質評価装置４０に、通信品質データの提供を行う旨の登録要求を送信する。この登録要求に応じて、通信品質評価装置４０から登録応答が送信されることによって、移動通信端末１０は通信品質データの提供を開始することができる。
【００２８】
位置情報取得部１６は、ＧＰＳ（Ｇｌｏｂａｌ  Ｐｏｓｉｔｉｏｎｉｎｇ  Ｓｙｓｔｅｍ）衛星から送信される電波を受信することによって、移動通信端末１０の位置情報を取得する。
【００２９】
開始要求受信部１８は、通信品質評価装置４０から送信される開始要求情報を受信する。この開始要求情報は、通信品質評価装置４０が移動通信端末１０に通信品質データの送信の開始を依頼する旨の情報である。開始要求受信部１８は、開始要求情報を受信した場合に、移動通信端末１０が通信品質データを生成できる状態にある場合に、品質情報生成部２２と、データ生成部２４と、データ送信部２６とに、通信品質データの生成に関する処理を開始するよう指示する。そして、開始要求受信部１８は、通信品質評価装置４０へ、通信品質データの送信の開始依頼に応じる旨の応答を送信する。
【００３０】
終了要求受信部２０は、通信品質評価装置４０から送信される終了要求情報を受信する。この終了要求情報は、通信品質評価装置４０が移動通信端末１０に通信品質データの送信の終了を依頼する旨の情報である。終了要求受信部２０は、終了要求情報を受信した場合に、品質情報生成部２２と、データ生成部２４と、データ送信部２６とに、通信品質データの生成に関する処理を中止するよう指示し、通信品質評価装置４０へ、通信品質データの送信の終了依頼に応じる旨の応答を送信する。
【００３１】
品質情報生成部２２は、信号送受信部１２によって基地局７０との間で生成される信号から所定の品質情報を生成する。所定の品質情報とは、例えば、基地局７０から送信される信号の受信電力値や、基地局７０から送信される信号のＳＩＲ（Ｓｉｇｎａｌ  ｔｏ  Ｉｎｔｅｒｆｅｒｅｎｃｅ  Ｒａｔｉｏ：信号対干渉電力比）、呼損率、エラーレートといったものを含む。
【００３２】
データ生成部２４は、上記の品質情報の生成に用いられた信号を移動通信端末１０が取得した位置を表す位置情報を、位置情報取得部１６によって取得する。データ生成部２４は、取得した位置情報と上記の品質情報とを対応付けた通信品質データを生成する。データ送信部２６は、データ生成部２４によって生成される通信品質データを通信品質評価装置４０に送信する。
【００３３】
なお、品質情報生成部２２と、データ生成部２４と、データ送信部２６とは、信号送受信部１２によって送受される信号から、通信品質データを生成して、定期的に通信品質評価装置４０に、通信品質データを送信しても良く、また、開始要求受信部１８によって上述の開始要求情報が受信された後、終了要求受信部２０によって上述の終了要求情報が受信されるまでの間、通信品質データを生成して、定期的に通信品質評価装置４０に、通信品質データを送信しても良い。
【００３４】
次に、通信品質評価装置４０について説明する。通信品質評価装置４０は、物理的には、ＣＰＵ（中央処理装置）、メモリといった記憶装置、ハードディスクといった格納装置、ディスプレイといった表示装置、キーボードやマウスといった入力装置、通信装置等を備えて構成される。また、図２に示すように、通信品質評価装置４０は、機能的には、登録受付部４２と、端末情報取得部（端末情報取得手段）４４と、開始要求送信部（開始要求送信手段）４６と、終了要求送信部（終了要求送信手段）４８と、データ受信部（通信品質データ受信手段）５０と、データ格納部（通信品質データ格納手段）５２とを備えて構成される。
【００３５】
登録受付部４２は、移動通信端末１０によって送信される上述の登録要求を受信すると共に、この通信品質評価装置４０の管理者によって、その登録要求が認められた場合に、移動通信端末１０の端末情報を登録する。移動通信端末１０の端末情報としては、例えば電話番号といった情報が用いられる。なお、通信品質評価装置４０の管理者によって登録が認められた移動通信端末１０が通信品質評価装置４０との間で行う通信に関わる通信料は、無料とするサービスを提供すれば、通信品質評価装置４０に通信品質評価データを提供する移動通信端末１０を増やすことができる。
【００３６】
端末情報取得部４４は、この通信品質評価装置４０の管理者が、通信品質を評価を行うべきと判断する所望の通信エリアを指定した場合に、その通信エリアを識別する情報と共に、その通信エリアに収容された移動通信端末１０の電話番号といった端末情報を送信するよう位置情報管理装置６０に依頼する。そして、端末情報取得部４４は、位置情報管理装置６０によって送信される端末情報を受信する。端末情報取得部４４は、位置情報管理装置６０によって送信された端末情報と、登録受付部４２によって登録された移動通信端末１０の端末情報とを照合し、登録受付部４２によって登録された端末情報と位置情報管理装置６０によって送信された端末情報とが一致する移動通信端末１０の端末情報を開始要求送信部４６と、終了要求送信部４８とに出力する。
【００３７】
開始要求送信部４６は、端末情報取得部４４によって出力された端末情報を有する移動通信端末１０に、通信品質データの送信の開始を依頼する旨の開始要求情報を送信する。
【００３８】
終了要求送信部４８は、端末情報取得部４４によって出力された端末情報を有する移動通信端末１０に、通信品質データの送信の終了を依頼する旨の終了要求情報を送信する。
【００３９】
データ受信部５０は、移動通信端末１０から送信される上述の通信品質データを受信すると共に、データ格納部５２に格納する。データ格納部５２は、通信品質データが格納されるデータベースである。
【００４０】
次に、位置情報管理装置６０について説明する。位置情報管理装置６０は、ロケーションレジスタ等の、移動通信端末１０の位置を管理する装置である。位置情報管理装置６０は、機能的には、端末情報管理部６２と、端末情報格納部６４とを備えて構成される。端末情報格納部６４は、移動通信端末１０の位置と、移動通信端末１０の端末情報とが対応付けられた情報が格納されるデータベースである。端末情報管理部６２は、端末情報格納部６４に格納された情報を管理し、通信品質評価装置４０によって所望の通信エリアに存在する移動通信端末１０の端末情報を送信するよう依頼された場合に、指定された通信エリアに存在する移動通信端末１０の端末情報を端末情報格納部６４から検索して、検索された端末情報を通信品質評価装置４０に送信する。
【００４１】
以下、本実施形態にかかる通信品質評価システム１の動作について説明し、併せて、本発明の実施形態にかかる通信品質データ収集方法について説明する。図３〜図６は、本発明の通信品質データ収集方法のシーケンス図である。まず、図３に示すように、移動通信端末１０の登録要求部１４が、通信品質評価装置４０に、通信品質データの提供を行う旨の登録要求を送信する（ステップＳ１１）。通信品質評価装置４０の登録受付部４２は、通信品質評価装置４０の管理者によってこの登録要求が認められた場合に、移動通信端末１０の電話番号といった端末情報を登録すると共に、登録が認められた旨の登録応答を移動通信端末１０へ送信する（ステップＳ１２）。
【００４２】
次に、図４を参照して、移動通信端末１０と通信品質評価装置４０とによって行われる通信品質データの定期的な収集処理のシーケンスを説明する。まず、上述のように登録を認められた移動通信端末１０は、現在通信品質データを送信できる状態にあるかどうかを判断する。この判断は、例えば、移動通信端末１０が通話中であるか否かといった判断や、ユーザによって通信品質データの送信を中止された状態にあるか否かといった判断が含まれる。そして、移動通信端末１０は、通信品質データを送信できる状態にある場合に、上述したように品質情報生成部２２とデータ生成部２４とによって通信品質データを生成して、この通信品質評価データを通信品質評価装置４０に送信する（ステップＳ２１）。通信品質評価装置４０のデータ受信部５０は、移動通信端末１０によって送信される通信品質データを受信すると共に、通信品質データを受信できた旨の収集応答を移動通信端末１０に送信する（ステップＳ２２）。なお、移動通信端末１０によって、最初に通信品質データが送信されてきた際に、通信品質評価装置４０は、移動通信端末１０から送信される通信品質データを収集するべきか否かを判断して、通信品質データを収集する必要がないと判断する場合には、移動通信端末１０に通信品質データを収集しない旨の応答を送信する。通信品質評価装置４０が通信品質データを収集する必要がないと判断する場合とは、例えば、既に他の移動通信端末１０によって同様の位置及び時刻に取得された所定の品質情報を含む通信品質データが収集されている場合等を含む。これらステップＳ２１及びステップＳ２２の処理が所定の時間間隔ごとに繰り返された後、移動通信端末１０は、通信品質評価装置４０に、通信品質データの送信を終了する旨の終了通知を行う（ステップＳ２３）。通信品質評価装置４０は、この終了通知を受信した旨の応答を通知する（ステップＳ２４）。これら一連の処理によって、上述した通信品質データの定期的な収集処理は終了される。
【００４３】
次に、図５及び図６を参照して、通信品質評価装置４０が、所望の通信エリアを指定して、通信品質データを収集する処理のシーケンスを説明する。まず、図５に示すように、通信品質評価装置４０の管理者によって、所望の通信エリアが指定される（ステップＳ３１）。また、通信品質評価装置４０の管理者によって、所望の通信エリアにおける通信品質データの収集を開始する開始時刻及び通信品質データの収集を終了する終了時刻が指定される（ステップＳ３２）。通信品質評価装置４０の端末情報取得部４４は、管理者によって指定された所望の通信エリアを識別する情報と共に、その通信エリアに存在する移動通信端末１０の端末情報の送信依頼を位置情報管理装置６０に送信する（ステップＳ３３）。位置情報管理装置６０の端末情報管理部６２は、通信品質評価装置４０から送信された通信エリアを識別する情報によって特定される通信エリアに存在する移動通信端末１０の端末情報を端末情報格納部６４から検索し（ステップＳ３４）、検索された移動通信端末１０の端末情報を通信品質評価装置４０に送信する（ステップＳ３５）。そして、通信品質評価装置４０の端末情報取得部４４は、位置情報管理装置６０から送信された端末情報と、登録受付部４２によって登録された移動通信端末１０の端末情報を照合する（ステップＳ３６）。そして、通信品質評価装置４０の端末情報取得部４４は、この照合によって、登録受付部４２によって登録された端末情報と位置情報管理装置６０によって送信される端末情報とが一致する移動通信端末１０の端末情報を開始要求送信部４６と、終了要求送信部４８に出力する。そして、通信品質評価装置４０の開始要求送信部４６が、上述したように管理者によって指定された開始時刻に、端末情報取得部４４によって出力された端末情報を有する移動通信端末１０へ、上述した開始要求情報を送信することによって、通信品質データの収集が開始される（ステップＳ３７）。
【００４４】
次に、図６に示すように、通信品質評価装置４０によって開始要求情報が送信されると（ステップＳ４１）、移動通信端末１０の開始要求受信部１８がこの開始要求情報を受信する。移動通信端末１０の開始要求受信部１８は、移動通信端末１０が通信品質データを生成できる状態にあるか否かを判断する。この判断には、例えば、移動通信端末１０が通話中であるか否かといった判断や、ユーザによって通信品質データの送信を中止された状態にあるか否かといった判断が含まれる。そして、移動通信端末１０の開始要求受信部１８は、移動通信端末１０が通信品質データを送信できる状態にある場合に、通信品質データの送信要求に応じる旨の応答を、通信品質評価装置４０に送信する（ステップＳ４２）。なお、移動通信端末１０の開始要求受信部１８は、移動通信端末１０が通信品質データを送信できる状態にない場合には、通信品質データの送信要求に応じない旨の応答を、通信品質評価装置４０に送信する。
【００４５】
そして、移動通信端末１０は、通信品質データを送信できる状態にある場合に、品質情報生成部２２とデータ生成部２４とによって通信品質データを生成し、この通信品質データをデータ送信部２６によって通信品質評価装置４０に送信する（ステップＳ４３）。通信品質評価装置４０は、移動通信端末１０によって送信される通信品質データを受信できた場合に、通信品質データを収集できた旨の収集応答を、移動通信端末１０に送信する（ステップＳ４４）。これらステップＳ３３及びステップＳ４４の処理が、所定の時間間隔で繰り返された後、通信品質評価装置４０の終了要求送信部４８は、上述のように管理者によって指定された終了時刻に、移動通信端末１０に上述した終了要求情報を送信する（ステップＳ４５）。そして、移動通信端末１０の終了要求受信部２０が、通信品質評価装置４０によって送信される終了要求情報を受信して、品質情報生成部２２と、データ生成部２４とに通信品質データの生成を終了するよう指示し、データ送信部２６に通信品質データの送信を終了するよう指示する。そして、終了要求受信部２０が、通信品質データの送信が終了した旨の応答を通信品質評価装置４０に送信することによって、通信品質データの収集に関する一連の処理が終了する（ステップＳ４６）。
【００４６】
次に移動通信端末１０に通信品質データの生成・送信を実行させる通信品質データ生成・送信プログラム１００について説明する。図７は、この通信品質データ生成・送信プログラム１００のモジュール構成を示す図である。図７に示すように、通信品質データ生成・送信プログラム１００は、処理を統括するメインモジュール１０１と、信号送受信モジュール１０２と、登録要求モジュール１０３と、位置情報取得モジュール１０４と、開始要求受信モジュール１０５と、終了要求受信モジュール１０６と、品質情報生成モジュール１０７と、データ生成モジュール１０８と、データ送信モジュール１０９とを備えて構成される。ここで、信号送受信モジュール１０２と、登録要求モジュール１０３と、位置情報取得モジュール１０４と、開始要求受信モジュール１０５と、終了要求受信モジュール１０６と、品質情報生成モジュール１０７と、データ生成モジュール１０８と、データ送信モジュール１０９とをそれぞれ動作させることによって移動通信端末１０に実現させる機能は、上述した信号送受信部１２と、登録要求部１４と、位置情報取得部１６と、開始要求受信部１８と、終了要求受信部２０と、品質情報生成部２２と、データ生成部２４と、データ送信部２６のそれぞれの機能と同様である。
【００４７】
以下、本実施形態にかかる通信品質評価システム１の作用及び効果を説明する。移動通信端末１０は、基地局と通信される信号に基づいて、その通信の品質に関する所定の品質情報を生成する。そして、移動通信端末１０は、この所定の品質情報の生成に用いた上記の信号を通信した位置を表す位置情報を取得し、これら所定の品質情報と位置情報とを含む通信品質データを生成する。更に、移動通信端末１０は、上記の通信品質データを通信品質評価装置に送信する。通信品質評価装置４０は、移動通信端末から送信される上記の通信品質データを収集すると共に格納する。このように、通信品質評価装置４０は、それ自体を人手によって移動させることなく、移動通信端末１０によって生成される所定の品質情報を、その生成に用いられた信号の通信位置を表す位置情報と共に収集できる。そして、移動通信端末１０は、各々のユーザによって複数の基地局７０がそれぞれ形成するエリアにおいてその位置が分散されるので、通信品質評価装置４０は、様々な位置における通信品質を表す所定の品質情報を含む通信品質データを効率良く収集できる。
【００４８】
また、移動通信端末１０は、通信品質評価装置４０から送信される開始要求情報に応じて、上記の通信品質データを通信品質評価装置に送信する。そして、移動通信端末１０は、通信品質評価装置４０から送信される終了要求情報に応じて、通信品質評価装置４０への通信品質データの送信を終了する。したがって、通信品質評価装置４０は、開始要求情報の送信時刻と、終了要求情報の送信時刻とを制御することによって、所望の時間帯の通信品質データを収集することができる。例えば、通信品質評価装置４０は、開始要求情報の送信時刻と、終了要求情報の送信時刻とを制御することによって、上記の通信品質データの収集によるトラフィックが、移動通信端末１０の通話やパケット通信等に影響を与えない通信トラフィックの閑散帯に、通信品質データの収集を行うことができる。
【００４９】
また、通信品質評価装置４０が、所望のエリアに存在する移動通信端末１０の端末情報を位置情報管理装置６０から取得し、端末情報によって特定される移動通信端末１０に、上記の開始要求情報や、終了要求情報を送信することによって通信品質データを収集できるので、通信品質評価装置４０は、所望のエリアにおける通信品質データを収集できる。
【００５０】
【発明の効果】
本発明によれば、移動通信端末が、基地局と通信された信号に基づく所定の品質情報と、その信号の取得位置を表す位置情報と含む通信品質データを生成すると共に、この通信品質データを通信品質評価装置に送信するので、通信品質評価装置に通信品質データを効率良く収集することができる。
【図面の簡単な説明】
【図１】図１は、実施形態にかかる通信品質評価システムを含む移動通信網を示す図である。
【図２】図２は、実施形態にかかる通信品質評価システムの構成を示すブロック図である。
【図３】図３は、実施形態にかかる通信品質データ収集方法のシーケンス図である。
【図４】図４は、実施形態にかかる通信品質データ収集方法のシーケンス図である。
【図５】図５は、実施形態にかかる通信品質データ収集方法のシーケンス図である。
【図６】図６は、実施形態にかかる通信品質データ収集方法のシーケンス図である。
【図７】図７は、実施形態にかかる通信品質データ生成・送信プログラムの構成を示す図である。
【符号の説明】
１…通信品質評価システム、２…移動通信網、１０…移動通信端末、１２…信号送受信部、１４…登録要求部、１６…位置情報取得部、１８…開始要求受信部、２０…終了要求受信部、２２…品質情報生成部、２４…データ生成部、２６…データ送信部、４０…通信品質評価装置、４２…登録受付部、４４…端末情報取得部、４６…開始要求送信部、４８…終了要求送信部、５０…データ受信部、５２…データ格納部、６０…位置情報管理装置、６２…端末情報管理部、６４…端末情報格納部
【図１】
2004187091.tif 000003
【図２】
2004187091.tif 000004
【図３】
2004187091.tif 000005
【図４】
2004187091.tif 000006
【図５】
2004187091.tif 000007
【図６】
2004187091.tif 000008
【図７】
2004187091.tif 000009